(57)【要約】      （修正有）【課題】絵文字部及び文字部とも高い視認性を確保できるエレベータの操作ボタン装置を提供する。【解決手段】乗りかごのかご内操作盤に設置されるエレベータの操作ボタン装置において、押圧又はタッチに基づいて通電路が形成されて光源１４ｂが発光し、照光状態となるボタントップ１５が設けられ、このボタントップ１５は、外枠を形成する外装体１５ａと、この外装体１５ａ内に収納され、押圧又はタッチする透光性部材からなる絵文字部２１を施した操作部１５ｂと、当該外装体１５ａ内に前記操作部１５ｂに隣接して収納され、非透光性部材からなる文字部２２を施した非操作部１５ｃとで構成され、前記操作部１５ｂの絵文字部２１及び前記非操作部１５ｃの文字部２２の何れか一方又は両方が外装体１５ａの表面部から突出され、或いは外装体１５ａの表面部とほぼ等しい面位置で露見するように設けたエレベータの操作ボタン装置である。【選択図】図２
2007246196.tif 000002
【特許請求の範囲】
【請求項１】
乗りかごのかご内操作盤に設置されるエレベータの操作ボタン装置において、
押圧又はタッチに基づいて光源を発光させて照光状態とするボタントップが設けられ、
このボタントップは、外枠を形成する外装体と、この外装体内に収納され、前記押圧又はタッチに基づいて前記光源を発光させる透光性部材からなる操作部と、当該外装体内に前記操作部に隣接して収納され、非透光性部材からなる非操作部とで構成され、
前記操作部及び前記非操作部の何れか一方又は両方が前記外装体の表面部から突出し、或いは当該外装体の表面部とほぼ等しい面位置で露見するように設けたことを特徴とするエレベータの操作ボタン装置。
【請求項２】
乗りかごのかご内操作盤に設置されるエレベータの操作ボタン装置において、
押圧又はタッチに基づいて光源を発光させて照光状態とするボタントップが設けられ、
このボタントップは、外枠を形成する外装体と、この外装体内に収納され、前記押圧又はタッチに基づいて前記光源を発光させる操作部と、当該外装体内に前記操作部に隣接して収納される非操作部とで構成され、
前記操作部及び前記非操作部の何れか一方又は両方が前記外装体の表面部から突出し、或いは当該外装体の表面部とほぼ等しい面位置で露見させるとともに、少なくとも当該操作部及び非操作部の突出或いは露見部分を互いに色違いとすることにより、前記操作部及び前記非操作部の全てを透光性部材で構成し、或いは全てを非透光性部材で構成することを特徴とするエレベータの操作ボタン装置。
【請求項３】
請求項１又は請求項２に記載のエレベータの操作ボタン装置において、
前記操作部の前記外装体からの突出又は露見部分には操作内容をイメージさせる絵文字部を施し、また前記非操作部の前記外装体からの突出又は露見部分には操作内容を表す文字部を施したことを特徴とするエレベータの操作ボタン装置。
【請求項４】
請求項１又は請求項２に記載のエレベータの操作ボタン装置において、
前記外装体は、透光性部材で構成したことを特徴とするエレベータの操作ボタン装置。
【請求項５】
請求項１又は請求項２に記載のエレベータの操作ボタン装置において、
前記外装体内に収納される前記操作部と前記非操作部とは分離可能な構成であることを特徴とするエレベータの操作ボタン装置。
【請求項６】
請求項１又は請求項２に記載のエレベータの操作ボタン装置において、
前記外装体内に収納される前記操作部の一端部を切り欠いて台座を形成し、前記外装体内に収納される前記非操作部は前記操作部に形成された台座に定置することを特徴とするエレベータの操作ボタン装置。
【請求項７】
請求項１又は請求項２に記載のエレベータの操作ボタン装置において、
前記光源としてはＬＥＤ素子（発光ダイオード素子）又はＥＬ素子（エレクトロルミネセンス素子）を用いたことを特徴とするエレベータの操作ボタン装置。
【発明の詳細な説明】
【技術分野】
【０００１】
本発明は、エレベータ利用者が操作する例えば乗りかご内の操作ボタン装置に関する。
【背景技術】
【０００２】
エレベータの乗りかごは、乗りかご内のかごドア一側方のリターンパネルにかご内操作盤が取り付けられている。かご内操作盤は、操作盤面部に図７に示すようなボタンフェースプレート１０１が設けられ、このボタンフェースプレート１０１には各種の操作ボタン（例えば行先階指定操作ボタンやドア開閉操作ボタン等）１０２が組み込まれている。
【０００３】
操作ボタン１０２は、中央部分が開口され、ボタンフェースプレート１０１裏側の複数箇所に突設されたスタッド１０３にボルト止めされた箱型の仕切箱１０４と、この仕切箱１０４の開口部分を閉塞するように架け渡され、仕切箱１０４にネジ止めされた回路基板１０５と、ボタントップ１０６とで構成されている。
【０００４】
回路基板１０５は、通電部１０５ａと光源（ＬＥＤ素子）１０５ｂとからなり、ボタントップ１０６が操作されたときに光源１０５ｂが応答発光する構成となっている。
【０００５】
前記ボタントップ１０６は、外装体１０６ａと、透光性部材からな操作部１０６ｂと、操作子１０７とで構成されている。
【０００６】
外装体１０６ａは、ボタンフェースプレート１０１の背面側からプレート１０１前面側に嵌め込むように取り付けられている。操作部１０６ｂは、半透明の樹脂で構成され、外装体１０６ａの背面側から嵌め込んで当該外装体１０６ａの表面部より操作内容をイメージさせる絵文字部１０８及び操作内容を意味する文字部１０９が突き出すように取り付けられている。操作子１０７は、操作部１０６ｂの背面側に添設され、操作部１０６ｂの絵文字部１０８が押圧又はタッチされたときに回路基板１０４の通電部１０５ａが通電し、光源１０５ｂを発光させる。光源１０５ｂが発光すると、透光性部材からなる操作部１０６ｂが照光する。
【０００７】
また、従来の他の操作ボタン装置としては、外装体に行先階を表す文字部を施した透光性部材からなる操作部を嵌め込んだ構成のものも提案されている（特許文献１）。
【特許文献１】特開２００４−００２００８号公報
【発明の開示】
【発明が解決しようとする課題】
【０００８】
ところで、前者の操作ボタン装置は、透光性部材からなる操作部１０６ｂの面部に操作内容をイメージさせるための絵文字部１０８及び操作内容を意味する文字部１０９が一体的に施されている。ここで、絵文字部１０８は、非照光時、照光時とも視認性の確保が必要であることから、半透明の樹脂，つまり透光性部材が用いられている。
【０００９】
このような操作ボタン装置では、絵文字部１０８はある程度の視認性を確保することができるが、文字部１０９は細い線で表現されていることから、非常に見難い状態となる。
【００１０】
また、操作部１０６ｂ表面に施された絵文字部１０８は、半透明の樹脂を用いているために、光源１０５ｂからの光を通した方が見易い。よって、絵文字部１０８は、照光時、操作部１０６ｂが薄いほど、見易くなり、視認性が向上する。しかし、外装体１０６ａが黒色又は黒色に近い色で構成されている場合が多い。その結果、非照光時、操作部１０６ｂが黒色又は黒色に近い色を吸収し、絵文字部１０８及び文字部１０９が全く目立たなくなってしまう。
【００１１】
さらに、絵文字部１０８と文字部１０９は、照光時と非照光時とに応じて見せたい色合いが異なるが、同一の透光性部材で形成されているので、照光時と非照光時では見せたい色合いを出せないといった問題がある。
【００１２】
一方、後者の操作ボタン装置は、透光性部材からなる操作部の表面部に文字部を施したものである。文字部は、行先階を数字で表していることから、文字部だけの表現で操作内容を十分に認識させることができる。そのため、必ずしも絵文字部１０８と文字部１０９との両方を必要としない。よって、操作部１０６ｂの表面部に絵文字部１０８及び文字部１０９を施した場合、前者の操作ボタン装置と同様の問題がそのまま残る。
【００１３】
本発明は上記事情に鑑みてなされたもので、照光時，非照光時であっても、絵文字部及び文字部の視認性に優れたものとするエレベータの操作ボタン装置を提供することを目的とする。
【課題を解決するための手段】
【００１４】
上記課題を解決するために、本発明は、乗りかごのかご内操作盤に設置されるエレベータの操作ボタン装置であって、押圧又はタッチに基づいて通電路を形成し、光源が発光して照光状態となるボタントップが設けられ、このボタントップは、外枠を形成する外装体と、この外装体内に収納され、前記押圧又はタッチに基づいて前記光源を発光させる表面部に絵文字を施した透光性部材からなる操作部と、当該外装体内に前記操作部に隣接して収納され、表面部に文字部を施した非透光性部材とからなる非操作部とで構成され、前記操作部及び前記非操作部の何れか一方又は両方が前記外装体の表面部から突出し、或いは当該外装体の表面部とほぼ等しい面位置で露見するように設けた構成である。
【００１５】
また、本発明に係るエレベータの操作ボタン装置は、押圧又はタッチに基づいて通電路を形成し、光源が発光して照光状態となるボタントップが設けられ、このボタントップは、外枠を形成する外装体と、この外装体内に収納され、前記押圧又はタッチに基づいて前記光源を発光させる表面部に絵文字を施した操作部と、当該外装体内に前記操作部に隣接して収納される表面部に文字部を施した非操作部とで構成され、前記操作部及び前記非操作部の何れか一方又は両方が前記外装体の表面部から突出し、或いは当該外装体の表面部とほぼ等しい面位置で露見させるとともに、当該操作部及び非操作部の突出或いは露見部分を互いに色違いとすることにより、前記操作部及び前記非操作部の全てを透光性部材で構成し、或いは全てを非透光性部材で構成したものである。
【発明の効果】
【００１６】
本発明によれば、照光時，非照光時に拘らず、操作内容をイメージする絵文字部及び操作内容を意味する文字部とも高い視認性を確保できるエレベータの操作ボタン装置を提供できる。
【発明を実施するための最良の形態】
【００１７】
以下、本発明の実施形態について図面を参照して説明する。  
図１は本発明に係る操作ボタン装置を適用した乗りかご内部の構成図である。  
同図において、乗りかご１は、両側壁を構成する側板２と、各側板２の下端部に掛け渡された床板３と、各側板２の上端部に掛け渡された天井板４と、背面壁を構成する背面板（図示せず）とで構成されている。
【００１８】
また、乗りかご１内の前面側にはかごドア５が取り付けられている。かごドア５の図示左側側方にはリターンパネル６が配置され、またかごドア５の図示右側側方にはかご内操作盤７が取り付けられている。８は幕板である。
【００１９】
かご内操作盤７には、少なくとも各種の操作ボタン１１（例えば行先階指定操作ボタンやドア開閉操作ボタン等）を組み込んだボタンフェースプレート１２が取り付けられている。
【００２０】
操作ボタン１１は、図２に示すように仕切箱１３と、回路基板１４と、ボタントップ１５とで構成される。
【００２１】
仕切箱１３は、断面凹形状の箱体をなし、その箱体の周縁部四辺からそれぞれ外側にほぼ直角に折り曲げた支持部材１３ａが取り付けられ、これら支持部材１３ａにはそれぞれ貫通孔が形成されている。仕切箱１３は、前記ボタンフェースプレート１２裏側の複数箇所から突設されたスタッド１６に対し、前記支持部材１３ａに形成した貫通孔を挿通させた後、ボルト１７にて締め付け固定されている。
【００２２】
また、仕切箱１３を構成する箱体の平坦面部には開口部１３ｂが形成されている。この仕切箱１４の背面側には開口部１３ｂを閉塞するように回路基板１４が掛け渡されている。そして、回路基板１４の周縁部は、仕切箱１３の背面側にネジ１８により固定されている。なお、仕切箱１３の背面側に開口部１３ｂを形成したが、例えば開口部１３ｂを設けることなく箱体内部の平坦面部に回路基板１４を取り付けた構成であってもよい。
【００２３】
回路基板１４は、通電部１４ａとＬＥＤ，エレクトロルミネセンス等の光源１４ｂとからなり、ボタントップ１５が操作されたときに光源１４ｂが応答発光する構成となっている。
【００２４】
前記ボタントップ１５は、ボタンフェースプレート１２に組み込むものであって、外装体１５ａ、透光性部材からなる操作部（以下、透光性部材と総称する）１５ｂ、非透光性部材からなる非操作部（以下、非透光性部材と総称する）１５ｃ及び操作子１９からなる。
【００２５】
外装体１５ａは、ボタンフェースプレート１２に形成される開口部の背面側から当該プレート１２の表面部に向かって嵌め込むように取り付けられる。なお、嵌め込みに際し、外装体１５ａの面部は、ボタンフェースプレート１２と同一の面位置となるように取り付けられる。
【００２６】
透光性部材１５ｂと非透光性部材１５ｃは互い分離可能に独立した構成部材であって、透光性部材１５ｂの表面部には操作内容をイメージする記号等の絵文字部２１が突出した状態で施されている。非透光性部材１５ｃの表面部には操作内容を意味する文字部２２が突出した状態で施されている。
【００２７】
透光性部材１５ｂは、図３に示すように非透光性部材１５ｃを含む幅広の方形体の一端部をＬ字状に切り欠いた平坦な台座１５ｂａが形成されている。そして、透光性部材１５ｂに形成された台座１５ｂａを除く凸面部には前述した絵文字２１が施されている。また、台座１５ｂａの面部には１つ以上のロック部材１５ｂｂが突設されている。
【００２８】
一方、非透光性部材１５ｃは、透光性部材１５ｂに形成された台座１５ｂａに定置させるものであって、背面側には透光性部材１５ｂの台座１５ｂａに設けたロック部材１５ｂｂに嵌め込むための１つ以上の穴部１５ｃａが設けられ、表面側には操作内容を意味する文字部２２が施されている。
【００２９】
透光性部材１５ｂと非透光性部材１５ｃは、外装体１５ａの背面側から表面部に飛び出すように組み込む。すなわち、透光性部材１５ｂは、外装体１５ａの背面側から嵌め込んで外装体１５ａの表面部から絵文字部２１が僅か突き出するように組み込む。
【００３０】
また、非透光性部材１５ｃは、前述した穴部１５ｃａをロック部材１５ｂｂに嵌合させて台座１５ｂａに定置し、外装体１５ａの表面部から文字部２２が僅か突き出するように組み込む。
【００３１】
前記操作子１９は、透光性部材１５ｂの背面側に貼着され、透光性部材１５ｂの絵文字部２１を押圧又はタッチした際に回路基板１４の通電部１４ａを介して基板上の電気回路が通電し、光源１４ｂを発光させる機能を有している。
【００３２】
なお、上記の実施の形態は、外装体１５ａと透光性部材１５ｂと非透光性部材１５ｃとをそれぞれ個別に製造し、外装体１５ａ内に透光性部材１５ｂ及び非透光性部材１５ｃを組み込む例である。
【００３３】
しかし、金型と射出成形機とを用い、透光性部材１５ｂ及び非透光性部材１５ｃの回りに外装体１５ａを構成する液状材を注入することにより、透光性部材１５ｂ及び非透光性部材１５ｃを組み込んだ外装体１５ａを自動的に成型することができる。
【００３４】
図４は透光性部材１５ｂ及び非透光性部材１５ｃの回りに外装体１５ａを成型する成型加工断面図である。但し、この例は、透光性部材１５ｂ面部に施す絵文字部２１が外装体１５ａ面部より突出させ、非透光性部材１５ｃ面部に施す文字部２２が外装体１５ａ面部と同一となるように当該外装体１５ａを成型する例である。
【００３５】
同図において、３１は第１の型、３２は第２の型である。第１の型３１は、外装体１５ａを構成する所定材料の液状材を流し込む注入経路３１ａが設けられている。
【００３６】
第２の型３２は、その内側に透光性部材１５ｂ及び非透光性部材１５ｃを収容し、かつ外装体１５ａの外形寸法に相当する空隙部を形作る凹陥部３２ａが形成されている。さらに、凹陥部３２ａ内の天井部分には、透光性部材１５ｂ面部の絵文字部２１が外装体１５ａ面部より突出させる必要から当該絵文字部２１の突き出し高さに相当する絵文字成形穴部３２ｂが形成されている。
【００３７】
ここで、外装体１５ａを成形する場合、先ず、第１の型３１の面部に透光性部材１５ｂを載置した後、透光性部材１５ｂの台座１５ｂａに非透光性部材１５ｃを定置させる（図５（ａ）参照）。
【００３８】
その後、第１の型３１の上部に気密性を維持しつつ第２の型３２を載置する。このとき、透光性部材１５ｂ面部の絵文字部２１が第２の型３２の絵文字成形穴部３２ｂに嵌合するように位置決めして第２の型３２載置する。
【００３９】
以上のような状態に設定した後、第１の型３１と第２の型３２とで形成される注入経路３１ａから外装体１５ａを構成する所定の液状材を流し込むと、当該液状材が透光性部材１５ｂと非透光性部材１５ｃと凹陥部３２ａとで構成される空隙部に充填され、透光性部材１５ｂ及び非透光性部材１５ｃの周囲を徐々に覆っていく。そして、液状材が空隙部に充満させた後に固化する。
【００４０】
そこで、液状材が固化した後、第１の型３１と第２の型３２とを切離すと、凹陥部３２ａが外装体１５ａに相当する外形寸法となっているので、図５（ｂ）に示すように透光性部材１５ｂ及び非透光性部材１５ｃを覆った外装体１５ａを作り出すことができ、さらに少なくとも絵文字部２１が外装体１５ａから突き出した状態に成型することができる。
【００４１】
なお、第１の型３１と第２の型３２とを全く逆であってもよい。つまり、凹陥部３２ａが上側を向くように第２の型３２を設置し、当該凹陥部３２ａ内に透光性部材１５ｂ及び非透光性部材１５ｃを収納する。
【００４２】
その後、第２の型３の上面に第１の型３１に重ね合わし、注入経路３１ａから外装体１６ａを構成する所定の液状材を流し込む方法であってもよい。
【００４３】
次に、以上のように構成された操作ボタン装置の作用について説明する。  
今、操作ボタンがドア開用ボタンである場合、絵文字部２１としてはドア開を表す記号からなる絵文字で表現されている。一方、文字部２２としては、例えば「ひらく」の文字で表現されている。
【００４４】
常時は、非照光状態となっているので、透光性部材１５ｂの絵文字部２１は、照光時よりも見難い。一方、非透光性部材１５ｃの文字部２２は、不透明体であることから、例えば黒色の外装体１５ａであっても、その外装体１５ａの色の影響を受けることがない。従って、非照光時でも高い視認性を確保できる。よって、非照光時、エレベータ利用者は少なくとも文字部２２からドア開の操作内容を十分に視認することができる。
【００４５】
エレベータ利用者は、ドア開を必要とした場合、高い視認性を有する文字部２２または絵文字部２１からドア開用ボタンであることを判断し、絵文字部２１を押圧するか、絵文字部２１にタッチする。絵文字部２１が押圧又はタッチされたとき、透光性部材１５ｂの背面側に配置される操作子１９が回路基板１４の通電部１４ａに接触するか、または通電信号が付与される。これにより、回路基板１４に組み込んでいる回路装置が動作し、光源１４ｂが発光する。
【００４６】
ここで、光源１４ｂが発光すると、その光が半透明または透明の透光性部材１５ｂを通って絵文字部２１を照らすので、当該絵文字部２１から高い視認性をもった応答結果が得られる。
【００４７】
従って、以上のような実施の形態によれば、操作ボタン１１としては、外装体１５ａ内部に絵文字部２１を施した透光性部材１５ｂと文字部２２を施した非透光性部材１５ｃとを分離可能な状態で組み込んだ構成である。これにより、非照光時と照光時とに応じ、絵文字部２１と文字部２２は異なる色味を出すことができる。その結果、非照光時、透光性部材１５ｂが外装体１５ａの色を吸収して見難い状態となっても、文字部２２が絵文字部２１とは異なる色味で表現されることにより、高い視認性を確保できる。一方、照光時、絵文字部２１は透光性部材１５ｂが光を通すことによって視認性が高められ、文字部２２はもともと光を通さないことを想定しているので、視認性に優れた色の非透光性部材１５ｃを利用すれば、高い視認性を確保することができる。
【００４８】
（その他の実施の形態）
（１）  上記実施の形態における透光性部材１５ｂ及び非透光性部材１５ｃは、何れも外装体１５ａの表面部から突き出するように組み込んでいる。しかし、非透光性部材１５ｃとしては、光を通す必要がなく、透光性部材１５ｂとは別部材であることから、非透光性部材１５ｃの少なくとも文字部２２の色は絵文字部２１とは異なる色で表すことができる。その結果、非透光性部材１５ｃの文字部２２は、必ずしも外装体１５ａの面部から突出させずに、操作内容を確実に視認させることができる。
【００４９】
また、透光性部材１５ｂの絵文字部２１としては、文字部２２が高い視認性を有し、かつ絵文字部２１自体がタッチ式である場合、必ずしも外装体１５ａの面部から突出させる必要がない。
【００５０】
（２）  また、上記実施の形態では、外装体１５ａ内に透光性部材１５ｂと非透光性部材１５ｃを組み込んでいるが、例えば外装体１５ａと絵文字部２１と文字部２２とをそれぞれ色違いとすれば、これら全部の部材１５ａ，１５ｂ，１５ｃを透光性部材で作ることもできる。また、絵文字部２１と文字部２２とを異なる色の非透光性部材を用いた場合には、外装体１５ａだけを透光性部材とすることもできる。
【００５１】
さらに、外装体１５ａと絵文字部２１と文字部２２とを互いに色違いで構成すれば、例えば文字部２２だけ、或いは外装体１５ａと絵文字部２１、或いは絵文字部２１と文字部２２、または外装体１５ａと文字部２２をそれぞれ透光性部材とすることができる。
【００５２】
さらには、外装体１５ａと絵文字部２１と文字部２２とをそれぞれ色違いとすることにより、これら全ての部材１５ａ，１５ｂ，１５ｃを非透光性部材で構成してもよい。
【００５３】
以上のように複数の部材１５ａ，１５ｂ，１５ｃを色違いとする場合、互いに隣り合う部材の色は補色の関係にある色を用いれば、高い視認性を確保することができる。
【００５４】
（３）  さらに、操作内容を表す絵文字部２１は万国共通に使用できるが、非透光性部材１５ｃの面部に施す文字部２２は国によって異なる。例えば英語を使用する国であれば、非透光性部材１５ｃの面部に図６に示すように英語で表記しなければならない。
【００５５】
しかし、本発明装置においては、透光性部材１５ｂと非透光性部材１５ｃとが完全に分離独立した状態となっているので、絵文字部２１を施した透光性部材１５ｂをそのまま使用し、英語を表記した文字部２３を施した非透光性部材１５ｃだけを簡単に交換すれば、そのまま外装体１５ａに組み込むことができる。
【００５６】
よって、ボタントップ１５を構成する大半の部材１５ａ，１５ｂをそのまま利用できることから製造設備投資を削減でき、また文字部２２，２３を施した非透光性部材１５ｃだけを簡単に交換することができ、容易に各国の使用国語に合わせたボタントップ１５を製造することができる。
【００５７】
（４）  また、前述したように絵文字部２１と文字部２２との色を変更することにより、特徴をもったボタントップ１５を作り上げることができる。
【００５８】
さらに、ユーザの要望に応じて、透光性部材からなる外装体１５ａを用いれば、外装体１５ａ自体が照光するので、周囲が照光するデザイン的に優れたボタントップ１５を作り上げることができる。
【００５９】
その他、本発明は、上記実施の形態に限定されるものでなく、その要旨を逸脱しない範囲で種々変形して実施できる。
【図面の簡単な説明】
【００６０】
【図１】本発明に係る操作ボタン装置を適用した乗りかご内部の構成図。
【図２】本発明に係る操作ボタン装置の要部となるボタントップを説明する図であって、同図（ａ）はボタンフェースプレートに組み込んだボタントップの平面図、同図（ｂ）はボタントップの断面図。
【図３】絵文字部を施した透光性部材と文字部を施した非透光性部材との組合せ構成図。
【図４】金型を用いて、透光性部材と非透光性部材との回りに外装体を成型するための成型加工図。
【図５】図４に示す成型加工によりボタントップを作り上げる図であって、同図（ａ）は透光性部材と非透光性部材とを組合せた斜視図、同図（ｂ）はボタントップの斜視図。
【図６】日本語以外の言語で表記した文字部を有する非透光性部材の一例を示す斜視図。
【図７】従来の操作ボタン装置を構成するボタントップを説明する図であって、同図（ａ）はボタンフェースプレートに組み込んだボタントップの平面図、同図（ｂ）はボタントップの断面図。
【符号の説明】
【００６１】
１…乗りかご、２…側板、３…床板、４…天井板、５…かごドア、６…リターンパネル、７…かご内操作盤、８…幕板、１１…操作ボタン、１２…ボタンフェースプレート、１３…仕切箱、１４…回路基板、１４ａ…通電部、１４ｂ…光源、１５…ボタントップ、１５ａ…外装体、１５ｂ…透光性部材（操作部）、１５ｂａ…台座、１５ｂｂ…ロック部材、１５ｃ…非透光性部材（非操作部）、１５ｃａ…穴部、１９…操作子、２１…絵文字部、２２…文字部、３１…第１の型、３１ａ…注入経路、３２…第２の型、３２ａ…凹陥部、３２ｂ…絵文字成形穴部。
【図１】
2007246196.tif 000003
【図２】
2007246196.tif 000004
【図３】
2007246196.tif 000005
【図４】
2007246196.tif 000006
【図５】
2007246196.tif 000007
【図６】
2007246196.tif 000008
【図７】
2007246196.tif 000009